(57)【要約】【課題】回路規模の小さいＮ倍速駆動時に、焼き付きを低減させた黒挿入駆動が可能な表示装置を提供する。【解決手段】ホールド型の表示デバイスを用いた表示装置において、入力画像のフレーム周波数をＮ倍速にする倍速変換回路と、画像データを記憶しておくメモリ部と、倍速変換後の画像データを補正する補正算出回路と、を具備し、前記補正算出回路で、前記メモリ部に記憶されている６０Ｈｚデータの第ｎフレームと第ｎ＋１フレームの差分を計算し、その差分データを１２０Ｈｚ駆動時の中間フレームデータとして使用し、中間フレームの前後のフレームはそれぞれ逆極性とする。【選択図】図１
2019095621.tif 000002
【特許請求の範囲】
【請求項１】
ホールド型の表示デバイスを用いた表示装置において、
入力画像のフレーム周波数をＮ倍速にする倍速変換回路と、
画像データを記憶しておくメモリ部と、
倍速変換後の画像データを補正する補正算出回路と、
を具備し、
前記補正算出回路で、前記メモリ部に記憶されている６０Ｈｚデータの第ｎフレームと第ｎ＋１フレームの差分を計算し、その差分データを１２０Ｈｚ駆動時の中間フレームデータとして使用し、中間フレームの前後のフレームはそれぞれ逆極性とする、
ことを特徴とする表示装置。
【請求項２】
前記中間フレームデータは、算出結果の正負に応じて極性が決定されることを特徴とする請求項１に記載の表示装置。
【請求項３】
前記中間フレームデータとして使用する差分データは、該差分データがある閾値より大きい場合は、前記閾値を超えたデータを、次のフレームの前記中間フレームに加算して使用することを特徴とする請求項１に記載の表示装置。
【請求項４】
前記表示デバイスは液晶であり、
前記中間フレームにおける前記液晶への印加電圧は、前記液晶の回路内部のトランジスタのプロセスバラつき補正を含むことを特徴とする請求項１に記載の表示装置。
【請求項５】
前記表示デバイスは液晶であり、
前記中間フレームにおける前記液晶への印加電圧は、動画補正時のエッジ強調補正を含むことを特徴とする請求項１に記載の表示装置。
【請求項６】
前記表示デバイスは液晶であり、
前記中間フレームにおける前記液晶への印加電圧は、前記液晶のオーバードライブ動作の補正を含むことを特徴とする請求項１に記載の表示装置。
【請求項７】
電源ＯＮ中にＤＣ成分が相殺完了しなかった場合、電源ＯＦＦ時に光源を切った後に相殺ＤＣを印加することを特徴とする請求項３に記載の表示装置。
【請求項８】
電源ＯＮ中にＤＣ成分が相殺完了しなかった場合、黒が連続して入力されたときに、ある閾値以下の前記中間フレームを連続して生成することを特徴とする請求項３に記載の表示装置。
【発明の詳細な説明】
【技術分野】
【０００１】
本発明は表示装置に関し、特に液晶を表示デバイスに用いた場合に、アナログ駆動の液晶の焼き付き改善に好適なものである。
【背景技術】
【０００２】
液晶表示装置に使用されている液晶は、電極を設けた基板間に封入し、電極間に電圧を印加し、印加する電圧の強度によって液晶の配向を変化させ、透過する光量を制御するものである。しかし、ＤＣ電圧を印加し続けると、液晶のその特徴から配向状態が固まってしまう、焼き付きが発生してしまう。そのため、焼き付き防止対策として、ＡＣ駆動が一般的となっている。
【０００３】
また、動画表示時の輪郭ボケ軽減のために、入力画像６０Ｈｚのフレームレートに対して、表示を１２０Ｈｚや２４０Ｈｚのフレームレートで表示するＮ倍速駆動が知られている。Ｎ倍速駆動時でもＡＣ駆動を行うが、このとき、さらに動画表示時の輪郭ボケ軽減のための黒挿入法を用いようとしても、単純には適用できない。その理由を、以下、図１０を用いて説明する。
【０００４】
図１０に、１２０Ｈｚ駆動時の垂直同期信号（以下Ｖｓｙｎｃ）、通常ＡＣ駆動時の画素印加電圧、黒挿入時の画素印加電圧を示す。図中、上が１２０Ｈｚ駆動時の垂直同期信号で、１／１２０ｓｅｃごとにこの信号に同期してフレームが更新される。図中、中が通常ＡＣ駆動時の画素印加電圧である。ｎフレームとｎ＋１フレームが同じ印加電圧であり、Ｖｃｏｍを中心に印加する極性が反転している（＝ＡＣ駆動）。ｎ＋２フレームとｎ＋３フレームも同様の関係であり、以降のフレームも同様の関係が続く。
【０００５】
また、図中、下が通常ＡＣ駆動に黒挿入を行った場合の画素印加電圧である。ｎ＋１フレームに黒を挿入すると、Ｖｃｏｍを中心に下方向（負極性）の印加電圧がなくなってしまい、正極性ばかりが印加されることになり、結果ＤＣ駆動と同じになり、焼き付きが発生してしまう。正極性のタイミングに黒を挿入した場合でも、同様である。
【０００６】
この問題を対策したものとして、特許文献１が挙げられる。特許文献１では、液晶画素に印加される画素電圧を、同一カテゴリの信号処理が実行される時系列上の画素を同一ペアとして、同一ペアごとに正負の極性を交互に切り替えるＡＣ駆動により焼き付きを防止している。このＡＣ駆動方法により黒挿入をした場合でも、正負の極性を補間できるために焼き付きも防止できる。
【先行技術文献】
【特許文献】
【０００７】
【特許文献１】特開２００７−３０４２０６号公報
【発明の概要】
【発明が解決しようとする課題】
【０００８】
しかしながら、特許文献１の方法では、１フレーム以上の画像データを保存できる大容量メモリや、補間画素を見つけるための計算が膨大になり、回路規模が大きくなってしまうことがあった。
【０００９】
本発明の目的は、回路規模の小さいＮ倍速駆動時に、焼き付きを低減させた黒挿入駆動が可能な表示装置を提供することである。
【課題を解決するための手段】
【００１０】
上記目的を達成するために、本発明に係る表示装置は、ホールド型の表示デバイスを用いた表示装置において、入力画像のフレーム周波数をＮ倍速にする倍速変換回路と、画像データを記憶しておくメモリ部と、倍速変換後の画像データを補正する補正算出回路と、を具備し、前記補正算出回路で、前記メモリ部に記憶されている６０Ｈｚデータの第ｎフレームと第ｎ＋１フレームの差分を計算し、その差分データを１２０Ｈｚ駆動時の中間フレームデータとして使用し、中間フレームの前後のフレームはそれぞれ逆極性とする、ことを特徴とする。
【発明の効果】
【００１１】
本発明によれば、回路規模の小さいＮ倍速駆動時に、焼き付きを低減させた黒挿入駆動が可能な表示装置を提供することができる。
【図面の簡単な説明】
【００１２】
【図１】本発明の実施形態の特徴を表すブロック図
【図２】表示装置の一例であるプロジェクタの全体ブロック図
【図３】ＤＡ変換部の詳細図
【図４】ＤＡ変換部のタイミングチャート
【図５】液晶パネルのブロック図
【図６】液晶パネルのタイミングチャート
【図７】液晶パネルの回路図
【図８】液晶パネルに印加される画素電圧のタイミングチャート
【図９】液晶パネルの動画ボケと反転表示の図
【図１０】液晶のＡＣ駆動と黒挿入の関係図
【図１１】本発明の実施形態を表すフローチャート
【図１２】本発明の実施形態を表すフローチャートに沿った画素電圧の遷移の図
【発明を実施するための形態】
【００１３】
以下に、本発明の好ましい実施の形態を、添付の図面に基づいて詳細に説明する。
【００１４】
（第１の実施形態）
以下、図２を参照して、本発明の第１の実施形態に係る液晶表示装置について説明する。図２において、１０００は表示装置全体を示す。５０１は各種演算・制御及び他の表示装置と通信を行うとともに記憶部を有する制御部である。記憶部５１０は制御部５０１と接続されていて各回路ブロックに対して設定値等を記憶していて制御部５０１を介して各回路ブロックに設定等を行う。
【００１５】
２０１は焦点検出部で、焦点検出センサーにより表示装置から投射を行うスクリーンまでの距離を検出する。焦点検出部２０１内には、不図示のめがねレンズ、及びめがねレンズより入射した光束を受光する一対で構成されるラインセンサーを有し、夫々のラインセンサーのコントラスト位置を基に演算を行い、投射を行うスクリーン等の距離を検出する所謂オートフォーカスを行う。その位相差による焦点検出信号は、制御部５０１に入力される。
【００１６】
制御部５０１は、焦点検出部２０１からの焦点検出信号を基に、レンズ駆動部５４１にレンズ制御信号を出力して投影光学部５２９に含まれるＡＦレンズ５４２を、後述の液晶パネル１００の画像をスクリーン等の投影部に焦点が合うように駆動を行う。
【００１７】
またレンズ駆動部５４１は、ＡＦレンズ５４２を駆動するとともに、投影光学部５２９に含まれるズームレンズ５４３にて後述の液晶パネル１００の画像をスクリーン等への投影倍率を変更する駆動も行う。
【００１８】
２０２は画像検出部でＣＣＤ或いはＣＭＯＳと言ったイメージセンサーで、画像入力処理部２０３を介して画像信号を制御部５０１に入力する。
【００１９】
５４４はレンズシフト部で、ＡＦレンズ５４２、ズームレンズ５４３を含む投影光学部５２９の投影系レンズを上下左右にシフトさせ、後述の液晶パネル１００の画像をスクリーン等への投影位置を上下左右にシフトさせる。
【００２０】
映像系の流れとしては、例えばプロジェクタ等の映像表示装置の場合には、不図示の外部映像ソース源より入力端子５５１を介して画像入力がされる。この映像入力端子から入力される信号は、コンポーネント等のアナログ信号、或いは、ＤＶＩ、ＨＤＭＩ（登録商標）、不図示無線入力部等から出力されるデジ信号である。これを画像表示装置内に設置された電源ＳＷ、モードＳＷ、ズームＳＷ等を含めた入力部５３０からの設定情報等を元に、制御部５０１は画像入力部５２２に制御信号を送信する。
【００２１】
この制御部５０１からの制御信号によって、画像入力部５２２は入力端子５５１から入力された画像信号をＡ／Ｄ変換処理或いはデコード処理等を行う。そして画像処理部５２３によって、公知のノイズ除去・輪郭強調・画像のスケーリング及び台形補正等を行い、画像出力部６０１に画像データを出力する。
【００２２】
画像出力部６０１としては、本実施形態では液晶パネルを用いた方式で説明を行う。画像処理部５２３によって各種画像処理された出力画像データは、画像出力部６０１とＳＤＲＡＭ等のメモリ５２４により出力画像データを倍速駆動タイミングの同期信号及びガンマ変換等の処理が行われた、液晶パネル１００を駆動するための画像データ信号を出力する。液晶パネル１００を駆動するための画像データ信号は、ＤＡ変換部５３１によりアナログ信号に変換される。
【００２３】
液晶パネル１００は赤（Ｒ）、緑（Ｇ）、青（Ｂ）用の３枚で構成され、夫々の液晶は、倍速駆動タイミングの同期信号と前期ＤＡ変換部５３１によりアナログ信号に変換された液晶駆動信号、所謂Ｖｉｄｅｏ信号を受けて液晶パネル上に画像が形成される。この形成された画像は、前述の制御部５０１から駆動信号を受けた光源駆動部５２６によって光源５２７であるところのランプ或いはＬＥＤを駆動点灯させ、光学系５２５によって平行光線に変換される。そして、赤（Ｒ）、緑（Ｇ）、青（Ｂ）に色分離して、赤（Ｒ）、緑（Ｇ）、青（Ｂ）用の夫々の液晶パネル１００上の画像が投影光学部５２９を介して投影され、スクリーン上に映し出される。
【００２４】
基準電圧ＤＡ変換部５２０は、複数の出力チャンネルを持ち、制御部５０１からの通信信号を受けて液晶パネル１００の画素電極に対して対向している電極電圧であるＶｃｏｍ電圧、及び液晶ＤＡ変換部５３１の駆動電圧設定電圧を発生させる。
【００２５】
図３、図４および図５をもとに、液晶パネル１００の駆動動作を説明する。図３は、ＤＡ変換部の概略図で図２の画像出力部６０１からのＣＬＫ、ＤＡＴ、Ｌａｔｃｈ及びＩＮＶの入力信号を受け液晶駆動信号でＶｉｄｅｏ０〜Ｖｉｄｅｏ７を発生させる。入力データ、ＣＬＫとＤＡＴＡとＬａｔｃｈと出力信号Ｖｉｄｅｏ０〜Ｖｉｄｅｏ７のタイミングは図４（Ａ）の通りで、ＣＬＫの立上り信号でＤＡＴＡをＤＡ変換部５３１内の不図示のレジスタにＶｉｄｅｏ出力分のＤＡＴＡを転送する。
【００２６】
またＩＮＶ信号は、アナログ電圧であるＶｉｄｅｏ出力を所定の中心電圧に対して、ＤＡＴＡより入力されたデータに応じて＋−に電圧を反転させて出力するものである。ここでは、Ｖｉｄｅｏ出力が８チャンネルを前提として、８クロック分ＤＡＴＡが転送された後Ｌａｔｃｈ信号の立上りでＤＡＴＡをＬａｔｃｈする。Ｖｉｄｅｏ信号は、Ｌａｔｃｈ信号の立下り後のＣＬＫの立ち上がりのＶｉｄｅｏ信号を、Ｌａｔｃｈ信号が立ち上がる前までのＤＡＴＡのＶｉｄｅｏ信号に更新する。この繰り返しで、液晶パネル１００への液晶駆動信号を発生させる。
【００２７】
液晶パネル１００は、図５のようにＨシフトレジスタ１１０及びＶシフトレジスタ１２０と画素領域１３０で構成されている。図６に示すＨ走査動作をＨシフトレジタ１１０でＨＳ信号をＨシフトレジスタのリセット信号及びスタート信号としてＶｉｄｅｏ０〜Ｖｉｄｅｏ７の液晶の駆動信号を、ＨＣＬＫ信号の１クロック毎にＶｉｄｅｏ０〜Ｖｉｄｅｏ７の液晶駆動信号を更新しながら垂直に８ラインの信号線をＯＮさせてＨ走査を行う。
【００２８】
即ち、ＨＣＬＫと、図４（Ａ）に示すＬａｔｃｈ信号は同じ周波数である。例えばここで、液晶パネル１００の解像度をＸＧＡのＨ：１０２４×Ｖ：７６８としたとき、ＨＣＬＫ：１２８クロックで液晶パネル１００の表示部分のＨ方向の走査を行い、また次のＨＳ信号でＨシフトレジスタ１１０のリセット信号及びスタート信号として次のＶラインのＨ走査を行う。実際には、Ｈ方向の走査に必要なＨＣＬＫ：１２８クロックに対して数クロック、所謂ブランキングを加えたクロック数でＨ走査を行う。
【００２９】
Ｖ走査は、ＶＳ信号をＶシフトレジスタ１２０のリセット信号及びスタート信号として、ＶＣＬＫ信号の１クロック毎にＶシフトレジスタ１２０はＨラインを１ライン毎シフトさせて解像度をＸＧＡのＨ：１０２４×Ｖ：７６８としたとき、ＶＣＬＫ：７６８クロックで液晶パネル１００のＶ方向の表示部分の走査を行う。実際には、Ｈ走査と同様に、Ｖ方向の走査でも必要なＶＣＬＫ：７６８クロックに対して数クロック、ブランキングを加えたクロック数でＶ走査を行う。ブランキングの数は、任意である。
【００３０】
Ｈ走査信号／Ｖ走査信号のそれぞれの走査信号により、液晶パネル１００内の画素部１３０に液晶駆動信号を印加する。
【００３１】
また表示画素Ｈ：１０２４×Ｖ：７６８の上下左右には、夫々黒領域（画素にＶｃｏｍ電圧印加する）を８画素有して、ブランキングクロックにより液晶駆動信号を印加する。但し、画素の位置ズレが発生した場合は、上下左右の黒領域の８画素を使用し映像信号の液晶パネル１００内の画素部１３０への書き込み位置をズラして位置合わせを行う。
【００３２】
画素部１３０は、図７のように構成されていて、Ｈシフトレジスタ１１０は前述の通りＨＣＬＫにより動作し、ＤＡ変換部５３１からＶｉｄｅｏ信号１４９をＨシフトレジスタ出力１４８により転送ＳＷ１４５をＯＮさせて信号線１４７にＶｉｄｅｏ信号電圧を印加する。そして、Ｖシフトレジスタ１２０のシフトレジスタ出力１４６はＮＭＯＳ１４１のゲートを駆動して、画素容量１４２にＶｉｄｅｏ信号電圧を蓄積する。液晶であるＬＣ１４３は、画素容量１４２に応じて負図示偏向板にて偏向された光の透過率を変える。
【００３３】
次に、液晶駆動について図８をもとに説明する。図８のＶｓｙｎｃ及びＶｉｄｅｏは、入力端子５５１より入力された映像信号（Ｖｉｄｅｏ）及びＶｓｙｎｃである。Ｖｓｙｎｃ、Ｈｓｙｎｃと言った同期信号は、映像信号の種類によって映像信号自体に含まれている信号も有るが、ここでは信号が分離されているものとする。
【００３４】
ＶＳは、前述の図６に示すタイミングで出力されるＶシフトレジスタ１２０のリセット信号およびスタート信号である。このＶＳ信号は、入力端子５５１より入力された映像信号を、図２の画像出力部６０１により、液晶パネル１００に対して、倍速駆動用に作成されたＶｓｙｎｃに対して倍の周波数を持つタイミング信号である。
【００３５】
ＰＪ１−Ｖｉｄｅｏは、画像出部からの倍速駆動用に作成されたＤＡＴＡをＤＡ変換部５３１により液晶パネル駆動用にアナログ信号化したＶｉｄｅｏ信号である。画素電圧は、図７に示す画素容量１４２の特定の画素（本タイミングチャートでは最初の書き込み画素）の電圧であり、液晶パネル１００の図７に示す回路を介して画素容量１４２に書き込みされる電圧である。画素電圧１は、パネルの走査時の初めの画素、画素電圧２はパネルの走査時の最後の画素の電圧である。
【００３６】
また、ここで動画ボケ発生の仕組みと、動画ボケ改善のための手法である、黒挿入法について説明する。図９に、液晶に表示されている物体の動きを示した例を挙げる。同図（Ａ）を参照する。横軸が物体の動き方向、縦軸が時間である。この図が示すのは、時間とともに物体が横方向に移動している様子である。６０Ｈｚ駆動の場合、１フレームは１／６０＝１６．７ｍｓであり、液晶はホールド型の表示デバイスのため、１６．７ｍｓ間は常に液晶に電圧が印加されている状態を維持する。物体の移動とともにホールド箇所が移動すると、図中の点斜線に表す箇所に、人間の目の特性上残像が残ってしまう。印加されている電圧を（Ａ）中の右側に示す。Ｖｃｏｍ電圧を中心として、正極性と負極性が対になり、絶対値を同じにして、極性が反転しつつ液晶に電荷を蓄え、かつ焼き付きを防ぐ動作を行っている。
【００３７】
それに対して、（Ｂ）では１２０Ｈｚ駆動（＝８．３ｍｓ）駆動を行いかつ、黒挿入を行った場合の物体の移動を示す。（Ａ）に比べ点斜線の幅が小さくなり、動画ボケが減少していることが分かる。しかし、（Ｂ）中右側に示すように表示と黒を交互に行うと、正極性のみが印加され、負極性が印加されずに焼き付きが発生してしまう。そこで、黒挿入を行いつつ焼き付きの発生を低減可能な提案を行う。
【００３８】
以下、図１を用いて詳細に説明する。図１は図２のＤＡ変換部５３１、液晶駆動部６０１、メモリ５２４、液晶パネル１００に突出している。本件は液晶駆動部６０１の動作が特徴である。
【００３９】
液晶駆動部６０１は映像入力を受けて、倍速変換回路６１１によりメモリ５２４に映像入力１フレーム分を書き込み、その１フレーム分の映像データを２回読み出すことにより６０Ｈｚの映像データを２回駆動する所謂倍速駆動（１２０Ｈｚ駆動）を行うデータ信号をつくる。
【００４０】
データ信号を受けたガンマ回路６１２は、液晶パネル１００のガンマ特性に合わせたデータ信号の補正を行う。ガンマ回路から出力されたデータ信号は、補正算出回路６１７に入力される。補正算出回路６１７では、入力されたデータをメモリ６１９に２フレーム以上記憶させ、ある画素における輝度データの差分を算出する。出力処理回路６１３により液晶パネル１００の走査方向、左／右、上／下の方向に合わせたデータの並び替えを行いセレクタ回路６１８を介してＤＡ変換部５３１出力しＤＡ変換部５３１は液晶駆動信号（電圧）を出力して液晶パネル１００を駆動する。
【００４１】
ＰＬＬ回路６１４は、逓倍速により各回路のクロック／データの位相を最適化する。ＴＧ回路６１５は、液晶パネル１００に対してのＤＡ変換部５３１より出力された液晶駆動信号（電圧）の液晶パネル５２５のＨ／Ｖの夫々のシフトレジスタのタイミング信号を出力する。レジスタ回路６１６は、各回路の設定及び調整値の書き込みを行う。
【００４２】
以上のような構成で、第１の実施形態の動作を図１１のフローチャートと、フローチャートのフローに沿ったある任意の画素の輝度データの遷移を図１２をもとに説明する。＃１０１にて、不図示の映像ソース危機から図１０の＃５５１を通して映像データが入力される。液晶駆動部６０１までの過程は上で記載しているので省略する。映像データは図１の倍速変換回路６１１に入力されているものとする。
【００４３】
＃１０２において、倍速変換回路６１１で６０Ｈｚのデータがメモリ５２４に２フレーム分書き込まれる。図１３（Ａ）はＶｓｙｎｃであり、ある任意の画素における６０Ｈｚ時の輝度データの、第１フレーム＠６０Ｈｚ：輝度値＝３、第２フレーム＠６０Ｈｚ：輝度値＝２（図１３（Ｂ））とすると、倍速変換後は、第１フレーム１＠１２０Ｈｚ：輝度値＝３、第１フレーム２＠１２０Ｈｚ：輝度値＝３、第２フレーム１＠１２０Ｈｚ：輝度値＝２、第２フレーム２＠１２０Ｈｚ：輝度値＝２となる（図１３（Ｃ））。
【００４４】
＃１０３において、ガンマ回路６１２でガンマ補正が行われる。ガンマ補正は液晶パネル個々の特性により補正値が異なる。ここでは、簡単化のために、第１フレーム１，２＠１２０Ｈｚ：輝度値＝４、第２フレーム１，２＠１２０Ｈｚ：輝度値＝３と、ガンマ補正によりそれぞれ＋１されたものとする（図１３（Ｄ））。ここでは一例として、ガンマ補正について述べたが、液晶の輝度に関わる要因として、液晶回路内部のトランジスタのプロセスバラつき、動画補正のエッジ強調、液晶応答性を上げるためのオーバードライブなどの補正を追加しても良い。
【００４５】
＃１０４では、補正算出回路６１７でメモリ６１８に記憶されている２フレーム分の画像データの差分を算出する。例えば、第１フレーム１＠１２０Ｈｚ：輝度値＝４、第２フレーム１＠１２０Ｈｚ：輝度値＝３では、４−３＝＋１となる。この結果の「＋１」を第１フレーム２＠１２０Ｈｚに使用する（図１３（Ｅ））。
【００４６】
＃１０５において、各第ｎフレーム１，２＠１２０Ｈｚの反転、非反転フラグを決定する。反転、非反転とは、前述にあるようにＤＡ変換部５３１でのＶｃｏｍを中心とする正極性か負極性かを決定することである。非反転を正極性、反転を負極性になることとする。第ｎフレーム１＠１２０Ｈｚでは前述のとおり、第ｎフレーム＠６０Ｈｚの輝度値をそのまま使用するため、単純に交互に正極性、負極性を繰り返す。
【００４７】
例えば第１フレーム１＠１２０Ｈｚを非反転とすると、第２フレーム１＠１２０Ｈｚは反転、第３フレーム１＠１２０Ｈｚは非反転・・・のように繰り返す。第ｎフレーム２＠１２０Ｈｚでは、上述の算出した値によって反転、非反転を決定する。例えば第１フレーム２＠１２０Ｈｚは４−３＝＋１と正の値となった。この場合は反転とする。もし仮に負の値が出れば非反転とする（図１３（Ｅ））。結果、図１３（Ｅ）に示すように、各フレームごとの輝度値と反転フラグが決定された。
【００４８】
反転フラグはデータｂｉｔの中に含めてもよいし、専用のラインを持ち、Ｈｉｇｈ：反転、Ｌｏｗ：非反転のようにしてもよい。ただし、図１３（Ｂ）−（Ｅ）はデジタルデータであり、画素に印加される直接の電圧ではない。決定された各フレームでのデジタルデータをもとに出力処理回路６１３、セレクタ回路６１８の処理を通りＤＡ変換部５３１に出力される。ここでは、それぞれの詳細の処理については説明しない。
【００４９】
＃１０６では、＃１０５で生成されたフラグとデータをもとにＤＡ変換部５３１でＤＡ変換を行う。図１３（Ｆ）を参照しながら、説明する。第１フレーム１＠１２０Ｈｚは輝度値＝４かつフラグが非反転のため、Ｖｃｏｍを中心に正（上）方向の輝度値４のアナログ電圧を生成する。第１フレーム２＠１２０Ｈｚは輝度値＝１かつフラグが反転のため、Ｖｃｏｍを中心に負（下）方向に輝度値１のアナログ電圧を生成する。第２フレーム１＠１２０Ｈｚは輝度値＝３かつフラグが反転のため、Ｖｃｏｍを中心に輝度値３のアナログ電圧を生成する。よってＶｃｏｍを中心に正方向電圧は４、負方向電圧は４となり、ＤＣを相殺することが可能になる。
【００５０】
また、＃１０４において、第１フレーム１＠１２０Ｈｚと第２フレーム１＠１２０Ｈｚの輝度値が十分に大きい場合、例えば第１フレーム１＠１２０Ｈｚ：輝度値＝１００（白レベル）、第２フレーム１＠１２０Ｈｚ：輝度値＝０（黒レベル）だとすると、第１フレーム２＠１２０Ｈｚが負極性の輝度＝１００となってしまう。本来、第ｎフレーム２＠１２０Ｈｚは、中間の補間フレームであるため、目に見えて目立った輝度では、黒挿入のような輝度を落とす効果が得られない。
【００５１】
そこで、目に見えないようなレベルの閾値をあらかじめ定めておき、閾値を超えた値は次のフレームに持ち越して計算を行う。例えば、図１３（Ｇ）に示す。閾値を輝度値＝２０と定めたとする。第１フレーム１＠１２０Ｈｚ：輝度値＝１００、第２フレーム１＠１２０Ｈｚ：輝度値＝０とした場合、その差は＋１００である。これは閾値＝２０を超えているため、第１フレーム２＠１２０Ｈｚでは輝度値＝２０のみとする。残りの輝度値８０は次のフレームの計算時に加算する。
【００５２】
この後４フレーム黒が続けば、２０＊４＝８０で相殺することができる。連続して黒が続かなくとも、差分が２０以下の場合には補てんして相殺していく。また、連続したフレームが輝度値＝１００（白レベル）のように、その差がない場合では、中間フレームでの補間は０であるが、あまりにも輝度の落差があるとフリッカーとなり明滅が見えてしまう。そこで、図１３（Ｈ）に示すように、連続したフレームがある閾値Ａ以上の輝度値であり、その差分が別の閾値Ｂ以下であれば中間フレームを補てんする。
【００５３】
閾値Ａ＝８０、Ｂ＝１０とすると第１フレーム１＠１２０Ｈｚ：輝度値＝１００、第２フレーム１＠１２０Ｈｚ：輝度値＝１００であれば、互いに閾値Ａ以上であり、その差分は１００−１００＝０で閾値Ｂ以下である。この場合には第１フレーム１＠１２０Ｈｚ：輝度値＊０．８を中間フレームに補てんする。以上のように様々な条件を設けることにより、その差分を補てんすることで動画視認性を向上させつつ、焼き付きを低減することができる。
【００５４】
なお、液晶表示装置が適用される電子機器としては、液晶プロジェクタ、液晶テレビの他、携帯電話、ノートパソコン、デジタルスチルカメラカーナビゲーション装置等の機器等などが挙げられる。そして、これらの各種電子機器の表示装置として、上述した表示装置が適用可能であることは言うまでもない。
【符号の説明】
【００５５】
６１１：倍速変換回路
６１２：ガンマ回路
６１３：出力処理回路
６１４：ＰＬＬ回路
６１５：ＴＧ回路
６１６：レジスタ回路
６１７：補正算出回路
６１８：セレクタ回路
６１９：メモリ
【図１】
2019095621.tif 000003
【図２】
2019095621.tif 000004
【図３】
2019095621.tif 000005
【図４】
2019095621.tif 000006
【図５】
2019095621.tif 000007
【図６】
2019095621.tif 000008
【図７】
2019095621.tif 000009
【図８】
2019095621.tif 000010
【図９】
2019095621.tif 000011
【図１０】
2019095621.tif 000012
【図１１】
2019095621.tif 000013
【図１２】
2019095621.tif 000014